(57)【要約】【課題】骨盤の大きさにかかわらず、靱帯が弛緩して広がりずれた左右の仙腸関節の隙間を狭くし正常な位置に矯正できる椅子の背凭れを提供することを課題とする。【解決手段】着座者の骨盤に該当する部位に当接可能な背凭れを備える椅子の背凭れであって、前記背凭れは左右方向で右背凭れ部と左背凭れ部を備え、平面視で、前記右背凭れ部と左背凭れ部のそれぞれの左右方向での内側が骨盤の仙骨周辺に該当する部位により後方向に押圧され回転又は捩れたときに、前記回転又は捩じれにより、前記右背凭れ部と左背凭れ部のそれぞれの左右方向での外側が骨盤の寛骨の後部外側に該当する部位を仙骨側に向けて押圧をかける方向に回転又は捩れることを特徴とする椅子の背凭れにより課題解決できた。【選択図】  図１
2019162227.tif 000002
【特許請求の範囲】
【請求項１】
着座者の骨盤に該当する部位に当接可能な背凭れを備える椅子の背凭れであって、
前記背凭れは左右方向で右背凭れ部と左背凭れ部を備え、
平面視で、前記右背凭れ部と左背凭れ部のそれぞれの左右方向での内側が骨盤の仙骨周辺に該当する部位により後方向に押圧され回転又は捩れたときに、
前記回転又は捩じれにより、前記右背凭れ部と左背凭れ部のそれぞれの左右方向での外側が骨盤の寛骨の後部外側に該当する部位を仙骨側に向けて押圧をかける方向に回転又は捩れることを特徴とする椅子の背凭れ。
【請求項２】
前記右背凭れ部と左背凭れ部はいずれもそれぞれ着座者が接する押圧背凭れ部材と前記押圧背凭れ部材を支える支柱を備え、前記それぞれの押圧背凭れ部材の形態を、平面視で、左右方向で前記支柱と接する中央部は着座者と当接しないための隙間を形成するように凹部形状にし、左右方向で両端部は着座者の仙骨に該当する部位と寛骨の部分である腸骨の後方外側に該当する部位に当接可能とする凸部形状にしたことを特徴とする請求項１に記載の椅子の背凭れ。
【請求項３】
前記右背凭れ部と左背凭れ部とが左右に分離されていることを特徴とする請求項１又は２に記載の椅子の背凭れ。
【発明の詳細な説明】
【技術分野】
【０００１】
本発明は、骨盤を形成する腸骨と仙骨の間にある仙腸関節の歪みの矯正を行う椅子の背凭れに関する。
【背景技術】
【０００２】
一般的に、例えば妊婦がお産をするときに仙腸関節の靱帯が弛緩し仙骨と腸骨との間が広がるが、その後に仙骨と腸骨との位置関係が元に戻らず仙腸関節間の隙間が広がって仙腸関節がずれてしまう症状が生じることがある。この仙腸関節のずれによって腰痛などの症状が生じることが知られている。
【０００３】
特許文献１には、座部と、背もたれ部と、着座者の骨盤の歪みを矯正するために前記骨盤の部分を左右から押圧する左右一対の押圧部とを備えるとともに、それらの相互の位置関係を固定して椅子本体を構成し、その椅子本体を脚体に対して前後方向向へ角度調整可能に支持したことを特徴とする骨盤矯正椅子が開示されている。
【先行技術文献】
【特許文献】
【０００４】
【特許文献１】特開２００９−２１９号公報
【発明の概要】
【発明が解決しようとする課題】
【０００５】
特許文献１に記載の発明は、座部の左右のサイドに設けた、骨盤を左右から押圧する一対の押圧部の幅が一定であるため、着座者により骨盤の大きさが小さい人には十分な押圧がかからず、骨盤の大きい人には椅子にはまりにくいという問題があった。
【０００６】
本発明はこうした問題に鑑み創案されたもので、骨盤の大きさにかかわらず、靱帯が弛緩して広がりずれた左右の仙腸関節の隙間を狭くし正常な位置に矯正できる椅子の背凭れを提供することを課題とする。
【課題を解決するための手段】
【０００７】
請求項１に記載の椅子の背凭れは、着座者の骨盤に該当する部位に当接可能な背凭れを備える椅子の背凭れであって、前記背凭れは左右方向で右背凭れ部と左背凭れ部を備え、平面視で、前記右背凭れ部と左背凭れ部のそれぞれの左右方向での内側が骨盤の仙骨周辺に該当する部位により後方向に押圧され回転又は捩れたときに、前記回転又は捩じれにより、前記右背凭れ部と左背凭れ部のそれぞれの左右方向での外側が骨盤の寛骨の後部外側に該当する部位を仙骨側に向けて押圧をかける方向に回転又は捩れることを特徴とする。
【０００８】
請求項２に記載の椅子の背凭れは、請求項１において、前記右背凭れ部と左背凭れ部はいずれもそれぞれ着座者が接する押圧背凭れ部材と前記押圧背凭れ部材を支える支柱を備え、前記それぞれの押圧背凭れ部材の形態を、平面視で、左右方向で前記支柱と接する中央部は着座者と当接しないための隙間を形成するように凹部形状にし、左右方向で両端部は着座者の仙骨に該当する部位と寛骨の部分である腸骨の後方外側に該当する部位に当接可能とする凸部形状にしたことを特徴とする。
【０００９】
請求項３に記載の椅子の背凭れは、請求項１又は２において、前記右背凭れ部と左背凭れ部とが左右に分離されていることを特徴とする。
【発明の効果】
【００１０】
請求項１又は２に記載の椅子の背凭れは、着座者が着座すると、着座者の骨盤の仙骨周辺の右側が右背凭れ部の内側を、仙骨周辺の左側が左背凭れ部の内側をそれぞれ後方向に押圧をかけることにより、前記右背凭れ部の外側及び前記左背凭れ部の外側がそれぞれ着座者の骨盤の寛骨を後側の外側からから中央に向けて押圧をかけることにより、着座者の左右の寛骨を構成する腸骨をそれぞれ中央寄りに仙骨側に移動させることができ、骨盤の大きさにかかわらず左右の仙腸関節を密着させることができる。
【００１１】
前記右背凭れ部と左背凭れ部のそれぞれの左右方向の中央部に着座者とは離隔する部位を有するので、前記右背凭れ部と左背凭れ部のそれぞれの両端部の一方が着座者に当接すると他方が着座者に押圧を加えるときに強い押圧を加えることができる。また、前記他方の部位という狭い範囲で押圧を加えるので強い押圧により寛骨の部分を構成する腸骨を仙骨方向に近づけることができる。
【００１２】
請求項３に記載の椅子の背凭れは、右背凭れ部と左背凭れ部とが左右に分離されているので、右背凭れ部と左背凭れ部とを連結させた形態に比較してより強い押圧をかけることができる。
【図面の簡単な説明】
【００１３】
【図１】本発明の背凭れを備えた椅子の例を示す概要正面図である。
【図２】本発明の背凭れを備えた椅子の例を示す概要右側面図である。
【図３】本発明の背凭れを備えた椅子の背凭れを前傾斜させた状態を示す概要右側面図である。
【図４】平面視で背凭れの形態を示す図であり、（ａ）が図１におけるＡ―Ａ断面図で、（ｂ）が図１におけるＢ−Ｂ断面図で、（ｃ）が図１におけるＣ−Ｃ断面図である。
【図５】平面視における骨盤の概要図である。
【図６】正面視における骨盤の概要図である。
【図７】平面視で着座者が座った瞬間の骨盤と背凭れとの位置関係を示す説明図である。
【図８】平面視で着座者が深く座って背もたれに寄り掛かったときの骨盤と背凭れとの位置関係を示す説明図である。
【図９】左背凭れ部と右背凭れ部とが連結部材で一体化された形態の説明図で、（ａ）が左背凭れ部と右背凭れ部の平面図で、（ｂ）が椅子の概要正面図である。
【図１０】左背凭れ部と右背凭れ部の材質が捩じれ変形をする樹脂の場合の説明図で、（ａ）が左背凭れ部と右背凭れ部の平面図で、（ｂ）が椅子の概要正面図である。
【図１１】左背凭れ部と右背凭れ部の事例の平面図で、（ａ）がＷ字型の説明図で、（ｂ）がコ字状型の説明図である。
【図１２】支柱が座面部に固定されて立設されている形態の説明図で、（ａ）が正面視の説明図で、（ｂ）が右側面視の説明図である。
【図１３】左背凭れ部と右背凭れ部にカバーが覆われた状態の説明図で、（ａ）が左背凭れ部と右背凭れ部を一つのカバーで覆った事例の説明図で、（ｂ）が左背凭れ部と右背凭れ部をそれぞれ別個に覆った事例の説明図である。
【図１４】着座者に、左右の背凭れ部と左右の支柱が当接する形態を示す平面視の説明図である。
【発明を実施するための形態】
【００１４】
本発明の椅子の背凭れで使用する椅子２は、座椅子や、脚部を備える椅子、ソファ、乗り物用椅子等の背凭れ１と座面部３を備えた椅子が該当する。また、本発明の背凭れ１は、図１、図２に示すように、右背凭れ部４と左背凭れ部５を有し、右背凭れ部４には押圧背凭れ部材８と前記押圧背凭れ部材８を支える支柱２０が含まれ、左背凭れ部５には押圧背凭れ部材９と前記押圧背凭れ部材９を支える支柱２１が含まれ、前記支柱２０、２１は座面部３から立設されている。
【００１５】
骨盤１０を構成する骨は、図５又は図６に示すように、骨盤１０の上部中央に仙骨１１が左右にあり、その外側に腸骨１５がそれぞれ左右にあり、坐骨１４と腸骨１５等が一体化したものが寛骨１２であり、仙骨１１と寛骨１２等の全体が骨盤１０である。そして、仙骨１１と腸骨１５との境が仙腸関節１３である。仙腸関節１３の左右方向の間隔が拡がると仙腸関節でずれが生じ腰痛を発症しやすくなる。本発明の椅子の背凭れ１は、左右の寛骨１２の部分である腸骨１５の外側から内側にある仙骨１１の方向に押圧を加えて前記寛骨１２を仙骨１１側に移動させて仙腸関節１３の隙を左右のバランスよく狭くし密着させていくことができる。
【００１６】
本発明の椅子の背凭れ１は、図１、図７、図８、図１０に示すように、着座者の骨盤１０に該当する部位に当接可能な背凭れを備える椅子の背凭れ１であって、前記背凭れ１は左右方向で右背凭れ部４と左背凭れ部５を備え、平面視で、前記右背凭れ部４と左背凭れ部５のそれぞれの左右方向での内側が骨盤１０の仙骨１１周辺に該当する部位により後方向に押圧され回転又は捩れたときに、前記回転又は捩じれにより、前記右背凭れ部４と左背凭れ部５のそれぞれの左右方向での外側が骨盤１０の寛骨１２の後部外側に該当する部位を仙骨１１側に向けて押圧をかける方向に回転又は捩れる。
【００１７】
前記右背凭れ部４と左背凭れ部５は、ともに左右方向の略中央部に支柱２０、２１を設けており、着座者と当接する部位が、図１４に示すように、前記右背凭れ部４と左背凭れ部５のそれぞれの左右方向での両端の部位、及び、支柱２０、２１が設けられた中央部に当接する形態であっても、図８に示すように、支柱２０、２１が設けられた中央部は隙間５０を設けて離隔するようにして前記右背凭れ部４と左背凭れ部５のそれぞれの左右方向での両端の部位が当接する形態であってもよい。前記支柱２０、２１が設けられた中央部に隙間５０を設けて離隔するようにした形態の方が、着座者の押圧が分散せず集中するので仙骨１１側の内側の部位が着座者の押圧をより強く受けることができ、その反動により腸骨１５の後方外側の方に該当する外側の部位が着座者により強い押圧を加えることができる。
【００１８】
次に、前記支柱２０、２１が設けられた中央部は隙間５０を設けて離隔するようにした形態について説明する。前記右背凭れ部４と左背凭れ部５はいずれもそれぞれ着座者が接する押圧背凭れ部材８、９と前記押圧背凭れ部材８、９を支える支柱２０、２１を備え、前記それぞれの押圧背凭れ部材８、９の形態を、図４、図９（ａ）、図１０（ａ）、図１１に示すように、平面視で、左右方向で前記支柱２０、２１と接する中央部は着座者と当接しないための隙間５０を形成するように凹部形状にし、左右方向で両端部は着座者の仙骨１１に該当する部位と寛骨１２の部分である腸骨１５の後方外側に該当する部位に当接可能とする凸部形状にしている。
【００１９】
本発明の椅子の背凭れ１は、右背凭れ部４の押圧背凭れ部材８と、左背凭れ部５の押圧背凭れ部材９と、前記右背凭れ部４の押圧背凭れ部材８を支える支柱２０と、前記左背凭れ部５の押圧背凭れ部材９を支える支柱２１とを備えている。前記支柱体２０、２１は図１に示すように座面部３の後端部から立設し、図１や図４に示すように前記押圧背凭れ部材８や押圧背凭れ部材９の左右方向で略中央寄りに位置する。
【００２０】
前記支柱２０、２１と前記座面部３との連結形態は、図１２に示すように、前記座面部３に固定し前記背凭れ１を常時立設させた形態、又は、図１〜図３に示すように、前記座面部３と前記支柱２０、２１との間に左右方向の軸とその軸を挿入する筒状体とを組み合わせた回転部２２を設けて、前記支柱２０、２１を前記軸又は筒状体に固定させて前記背凭れ１を約９０°回転可能にする形態がある。
【００２１】
前記右背凭れ部４の押圧背凭れ部材８と左背凭れ部５の押圧背凭れ部材９とは、図９に示すように左右を連結させた一体的な形態や、図１に示すように分離された形態がある。前記一体的な形態及び分離された形態とも、図７、図８に示すように、着座者の骨盤１０に該当する部位が前記右背凭れ部４の押圧背凭れ部材８と左背凭れ部５の押圧背凭れ部材９のそれぞれの仙骨１１側に該当する端部に対して後方向に押圧Ｐ１Ｒ、Ｐ１Ｌをかけると、前記右背凭れ部４の押圧背凭れ部材８と左背凭れ部５の押圧背凭れ部材９のそれぞれの仙骨１１側に該当する端部が後方向に移動し回転又は捩れる。前記右背凭れ部４の押圧背凭れ部材８と左背凭れ部５の押圧背凭れ部材９とを連結する連結部材４０は押圧Ｐ１Ｒ、Ｐ１Ｌの大きさにより伸縮可能な弾性体が好ましい。前記右背凭れ部４と左背凭れ部５を図１３に示すように布製や革製のカバー３０で覆う形態もある。カバー３０は支柱２０、２１も含めて覆うようにしてもよい。前記カバー３０で覆うと、右背凭れ部４の押圧背凭れ部材８や左背凭れ部５の押圧背凭れ部材９がカバー３０で隠れるので外観上は通常の椅子と略同じになる。
【００２２】
前記右背凭れ部４の押圧背凭れ部材８又は左背凭れ部５の押圧背凭れ部材９の材質は、樹脂、木、金属、非金属などの剛性を有する材質、あるいは、捩じれ変形をする樹脂であればよい。また、前記右背凭れ部４の押圧背凭れ部材８又は左背凭れ部５の押圧背凭れ部材９の大きさは、正面視で、それぞれの高さ方向の範囲は寛骨１２の腸骨１５部分及び仙骨１１部分の上端近傍から下端近傍までの範囲に該当し、それぞれの左右方向の範囲は右背凭れ部４の押圧背凭れ部材８は右側の寛骨１２の外側端近傍から右側の仙骨１１の内側端近傍までの範囲であり、左背凭れ部５の押圧背凭れ部材９は左側の寛骨１２の外側端近傍から左側の仙骨１１の内側端近傍までの範囲である。そして、前記右背凭れ部４の押圧背凭れ部材８又は左背凭れ部５の押圧背凭れ部材９の形態は、正面視では略四角形又は楕円形を形成している。そして前記右背凭れ部４の押圧背凭れ部材８又は左背凭れ部５の押圧背凭れ部材９は略板状である。
【００２３】
前記右背凭れ部４の押圧背凭れ部材８又は左背凭れ部５の押圧背凭れ部材９と支柱２０、２１との連結形態は、前記右背凭れ部４の押圧背凭れ部材８又は左背凭れ部５の押圧背凭れ部材９が剛性を有する材質の場合は、図１、図４（ｃ）、図７、図８に示すように、前記右背凭れ部４の押圧背凭れ部材８又は左背凭れ部５の押圧背凭れ部材９は支柱２０、２１に対して左右方向に回転自在に連結され、前記右背凭れ部４の押圧背凭れ部材８又は左背凭れ部５の押圧背凭れ部材９が捩じれ変形をする樹脂の場合は前記右背凭れ部４の押圧背凭れ部材８又は左背凭れ部５の押圧背凭れ部材９は支柱２０、２１に固定、あるいは、図１０（ａ）に示すように同じ材質で支柱と一体的に成形する。
【００２４】
そして、前記右背凭れ部４の押圧背凭れ部材８又は左背凭れ部５の押圧背凭れ部材９を、図１、図４（ｂ）、（ｃ）に示すように、支柱２０、２１に対して左右方向に回転自在に連結した形態の場合には、図１、図２に示すように、支柱２０，２１に対して前記右背凭れ部４の押圧背凭れ部材８又は左背凭れ部５の押圧背凭れ部材９の上下方向の位置を固定化させるために、前記右背凭れ部４の押圧背凭れ部材８又は左背凭れ部５の押圧背凭れ部材９の下端に当接する下規制部材７及び、前記右背凭れ部４の押圧背凭れ部材８又は左背凭れ部５の押圧背凭れ部材９の上端に当接する上規制部材６を設けている。下規制部材７は支柱２０、２１に固定し、上規制部材６は図４（ａ）に示すように支柱２０、２１の上端部の螺刻部に螺合させて上方を規制している。前記上規制部材６は螺設しているので取り外し自在にできるので、前記右背凭れ部４又は左背凭れ部５を入り替え容易である。
【００２５】
そして、前記右背凭れ部４の押圧背凭れ部材８又は左背凭れ部５の押圧背凭れ部材９の平面視は、図４、図９（ａ）、図１０（ａ）、図１１に示すように、着座者の仙骨１１の左右方向の略真ん中で、左右方向で対称的な形態を形成し、基本的形状は、平面視で、左右方向で中央部は着座者と当接しないための隙間５０を形成するようにし、左右方向で内側がそれぞれ骨盤１０を構成する仙骨１１周辺に該当する部位により後方向に押圧Ｐ１Ｒ、Ｐ１Ｌされたときに、それぞれの前記中央部は着座者と離隔状態を維持して、左右方向でそれぞれの外側が骨盤１０を構成する寛骨１２の部分である腸骨１５の後部外側に該当する部位を仙骨１１側に向けて押圧Ｐ２Ｒ、Ｐ２Ｌする形態である。
【００２６】
前記平面視の形態としては、図４に示すように平面視で左右方向の略中心を旋回中心としたＷ字型の折れ曲げ箇所を円弧状にした形態、図１１（ａ）に示すように平面視で左右方向の略中心を旋回中心としたＷ字型の形態、図１１（ｂ）に示すように平面視で左右方向の略中心を旋回中心としたコ字状やＵ字状（図示なし）の形態がある。いずれも前記右背凭れ部４の押圧背凭れ部材８又は左背凭れ部５の押圧背凭れ部材９の左右方向の中央部を着座者とは離隔状態を維持したまま、前記右背凭れ部４の押圧背凭れ部材８又は左背凭れ部５の押圧背凭れ部材９の左右方向の両端部を着座者側に押圧Ｐ２Ｒ、Ｐ２Ｌ可能とする形態である。
【００２７】
次に、前記右背凭れ部４の押圧背凭れ部材８と左背凭れ部５の押圧背凭れ部材９の材質が剛性を有し、前記右背凭れ部４と左背凭れ部５が分離状態であり、前記右背凭れ部４の押圧背凭れ部材８又は左背凭れ部５の押圧背凭れ部材９がともに支柱２０、２１とは左右方向に回転自在に設けられた場合について説明する。この場合の前記右背凭れ部４の押圧背凭れ部材８又は左背凭れ部５の押圧背凭れ部材９の平面視の形状はＷ字型の折れ曲げ箇所を円弧状にした形態、平面視で左右方向の略中心を旋回中心としたＷ字型の形態、平面視で左右方向の略中心を旋回中心としたコ字状やＵ字状の形態のいずれでもよい。
【００２８】
この形態の場合、図８に示すように、左右に分離された右背凭れ部４又は左背凭れ部５は、平面視で骨盤１０側の面である右背凭れ部４の押圧背凭れ部材８又は左背凭れ部５の押圧背凭れ部材９が、着座者の着座によってそれぞれの仙骨１１側が最初に後方向に押圧Ｐ１Ｒ、Ｐ１Ｌが加わり、この押圧Ｐ１Ｒ、Ｐ１Ｌによって右背凭れ部４の押圧背凭れ部材８は支柱２０を回転中心として矢印ａ方向の左回転し寛骨１２の部分である腸骨１５側に該当する部位が腸骨１５の外側から仙骨１１方向に向けて押圧Ｐ２Ｒを加え、左背凭れ部５の押圧背凭れ部材９は支柱２１を回転中心として矢印ｂ方向の右回転し寛骨１２の部分である腸骨１５側に該当する部位が腸骨１５の外側から仙骨１１方向に向けて押圧Ｐ２Ｌを加える。これにより、右側の腸骨１５が矢印ｃ方向である仙骨１１方向に動き、左側の腸骨１５が矢印ｄ方向である仙骨１１方向に動き、仙骨１１と寛骨１２との、言い換えれば仙骨１１と腸骨１５との境に存する仙腸関節１３の隙を狭めることができ、仙腸関節１３のずれによって生ずる腰痛などの症状を抑制させることができる。
【００２９】
次に、前記右背凭れ部４の押圧背凭れ部材８と左背凭れ部５の押圧背凭れ部材９の材質が剛性を有し、前記右背凭れ部４の押圧背凭れ部材８と左背凭れ部５の押圧背凭れ部材９が弾性体の連結部材４０で連結された連結状態であり、前記右背凭れ部４の押圧背凭れ部材８と左背凭れ部５の押圧背凭れ部材９がともに支柱２０、２１とは左右方向に回転可能に設けられた場合について説明する。この場合の前記右背凭れ部４の押圧背凭れ部材８と左背凭れ部５の押圧背凭れ部材９の平面視の形状はＷ字型の折れ曲げ箇所を円弧状にした形態、平面視で左右方向の略中心を旋回中心としたＷ字型の形態、平面視で左右方向の略中心を旋回中心としたコ字状やＵ字状の形態のいずれでもよく、前記右背凭れ部４の押圧背凭れ部材８と左背凭れ部５の押圧背凭れ部材９とは弾性体からなる連結部材４０で連結されている。
【００３０】
この形態の場合、前記右背凭れ部４の押圧背凭れ部材８又は左背凭れ部５の押圧背凭れ部材９は、平面視で骨盤１０側の面である右側の押圧背凭れ部材８又は左側の押圧背凭れ部材９が、着座者の着座によってそれぞれの仙骨１１側が最初に後方向に押圧Ｐ１Ｒ、Ｐ１Ｌが加わり、この押圧Ｐ１Ｒ、Ｐ１Ｌによって前記連結部材４０が伸び、右背凭れ部４は左回転し寛骨１２の部分である腸骨１５側に該当する部位が腸骨１５の外側から仙骨１１方向に向けて押圧Ｐ２Ｒを加え、左背凭れ部５は右回転し寛骨１２の部分である腸骨１５側に該当する部位が腸骨１５の外側から仙骨１１方向に向けて押圧Ｐ２Ｌを加える。これにより、仙骨１１と寛骨１２との境に存する仙腸関節１３の隙を狭めることができ、仙腸関節のずれによって生ずる腰痛などの症状を抑制させることができる。
【００３１】
次に、前記右背凭れ部４の押圧背凭れ部材８と左背凭れ部５の押圧背凭れ部材９の材質が捩じれ変形をする樹脂であり、前記右背凭れ部４と左背凭れ部５が分離状態であり、前記右背凭れ部４の押圧背凭れ部材８と左背凭れ部５の押圧背凭れ部材９右がともに支柱２０、２１とは支柱２０，２１に固定、あるいは、同じ材質で支柱２０，２１と一体的に成形した場合について説明する。この場合の前記右背凭れ部４の押圧背凭れ部材８と左背凭れ部５の押圧背凭れ部材９の平面視の形状はＷ字型の折れ曲げ箇所を円弧状にした形態、平面視で左右方向の略中心を旋回中心としたＷ字型の形態、平面視で左右方向の略中心を旋回中心としたコ字状やＵ字状の形態のいずれでもよい。
【００３２】
この形態の場合、前記右背凭れ部４又は左背凭れ部５は、平面視で骨盤１０側の面である右側の押圧背凭れ部材８又は左側の押圧背凭れ部材９が、着座者の着座によってそれぞれの仙骨１１側が最初に後方向に押圧Ｐ１Ｒ、Ｐ１Ｌが加わり、この押圧Ｐ１Ｒ、Ｐ１Ｌによって右背凭れ部４の押圧背凭れ部材８は左回転方向に捩じれ寛骨１２の部分である腸骨１５側に該当する部位が腸骨１５の外側から仙骨１１方向に向けて押圧Ｐ２Ｒを加え、左背凭れ部５の押圧背凭れ部材９は右回転方向に捩じれ寛骨１２の部分である腸骨１５側に該当する部位が腸骨１５の外側から仙骨１１方向に向けて押圧Ｐ２Ｌを加える。これにより、仙骨１１と寛骨１２との境に存する仙腸関節１３の隙を狭めることができ、仙腸関節のずれによって生ずる腰痛などの症状を抑制させることができる。
【００３３】
次に、図１〜図３に示す実施例１を説明する。前記右背凭れ部４の押圧背凭れ部材８と左背凭れ部５の押圧背凭れ部材９は、略板状であり、左右方向の略中央部で座面部３から立設された支柱２０、２１に左右方向に回転自在に取り付けられ、平面視で前記支柱２０、２１を回転中心としたＷ字型の折れ曲げ箇所を円弧状にした形態をしている。前記支柱２０、２１と、前記右背凭れ部４の押圧背凭れ部材８又は左背凭れ部５の押圧背凭れ部材９とは、図４（ｃ）に示すように前記押圧背凭れ部材８、９で前記支柱２０、２１を囲繞した部位と、図４（ｂ）に示すように前記押圧背凭れ部材８、９で前記支柱２０、２１を囲繞しない部位を設けているが、すべての部位を図４（ｃ）に示すように前記押圧背凭れ部材８、９で前記支柱２０、２１を囲繞してもよい。
【００３４】
前記略Ｗ字側の仙骨１１側に該当する一方の折れ部が仙骨１１により押圧Ｐ１Ｒ、Ｐ１Ｌを加えられ後方向に移動し、これにより右背凭れ部４の押圧背凭れ部材８又は左背凭れ部５の押圧背凭れ部材９がそれぞれ支柱２０、２１を回転中心として回転し、他方の折れ部が寛骨１２の外側であって後方向から寛骨１２の部分である腸骨１５を仙骨１２側に押圧Ｐ２Ｒ、Ｐ２Ｌを加えて移動させる。これにより、仙骨１１と、寛骨１２の部分である腸骨１５との境に存する仙腸関節１３の隙を狭めることができ、仙腸関節１３のずれによって生ずる腰痛などの症状を抑制させることができる。
【００３５】
さらに、図２、図３に示すように、前記支柱２０、２１を立設させた部位に回転部２２を設け、前記右背凭れ部４又は左背凭れ部５を座面部３側に略直角に曲げる構成としている。前記回転部２２を設けた場合は、支柱２０、２１の立設時の倒れ防止として回転部２２の回転軸を挿入した筒状体に回転規制部材２３を設けることにより前記右背凭れ部４又は左背凭れ部５の立設を可能としている。折り畳みができるので持ち運びや収納がしやすくなるという効果がある。
【符号の説明】
【００３６】
１          背凭れ
２          椅子
３          座面部
４          右背凭れ部
５          左背凭れ部
６          上規制部材
７          下規制部材
８          押圧背凭れ部材
９          押圧背凭れ部材
１０        骨盤
１１        仙骨
１２        寛骨
１３        仙腸関節
１４        坐骨
１５        腸骨
２０        支柱
２１        支柱
２２        回転部
２３        回転規制部材
３０        カバー
４０        連結部材
５０        隙間
【図１】
2019162227.tif 000003
【図２】
2019162227.tif 000004
【図３】
2019162227.tif 000005
【図４】
2019162227.tif 000006
【図５】
2019162227.tif 000007
【図６】
2019162227.tif 000008
【図７】
2019162227.tif 000009
【図８】
2019162227.tif 000010
【図９】
2019162227.tif 000011
【図１０】
2019162227.tif 000012
【図１１】
2019162227.tif 000013
【図１２】
2019162227.tif 000014
【図１３】
2019162227.tif 000015
【図１４】
2019162227.tif 000016